(57)【特許請求の範囲】
【請求項１】
第１の穴を有する第１筐体と、
可撓性材料から形成され前記第１筐体の前記第１の穴に係脱自在とする第１の突起を有し、前記第１筐体の面に着脱可能であるシート部材と、を備え、
前記第１の突起は、前記シート部材に略垂直な方向に突出する第１の縦突起と、前記シート部材に並行な方向に前記第１の縦突起の先端から突出する横突起と、前記シート部材に略垂直な方向に前記横突起の先端から突出し前記第１の縦突起の長さよりも短い第２の縦突起と、から構成されるクの字状に形成され、
前記第１の穴は、前記第１筐体に略垂直な方向に延出し前記第１の突起の幅よりも幅広に形成された第１の縦穴と、前記第１筐体に並行な方向に前記第１の縦穴の最奥から延出する横穴と、前記第１筐体に略垂直な方向に前記横穴の最奥から延出し前記第１の縦穴の長さよりも短い第２の縦穴と、から構成される前記クの字状に形成され、
前記第１の突起は、
前記第１の縦穴に挿入され、
前記シート部材が前記横穴の延出する方向に押圧されることで、前記第１の縦穴の縁面に前記第２の縦突起が当接して前記クの字状の開かれた部分が更に開くように弾性変形して前記シート部材のスライド方向の移動を許容し、
前記シート部材の前記スライド方向の移動により前記第２の縦突起が前記第２の縦穴に至ると、復元力により形状が戻り前記第２の縦穴に収容されるとともに、前記第１の穴の縁面に当接して弾性変形して前記第１の穴に係合する、
ことを特徴とする携帯端末。
【請求項２】
前記第１筐体の端部に回転ヒンジを介して回動自在に端部を接続された第２筐体を更に備え、
前記第２筐体は、前記第１筐体の面と前記第２筐体の面とが対向する折り畳み状態にあるときに前記シート部材の前記スライド方向に交差するように突出する第１の係止部を備える、
ことを特徴とする請求項１に記載の携帯端末。
【請求項３】
前記シート部材は、前記折り畳み状態にあるときに前記第１の係止部を収容する第２の穴を有する、
ことを特徴とする請求項２に記載の携帯端末。
【請求項４】
前記第１筐体は、前記シート部材が取り付けられた状態において前記第２の穴に対向する位置に第３の穴を有し、
前記第１の係止部は、前記折り畳み状態において、前記第２の穴を挿通して前記第３の穴に収容される、
ことを特徴とする請求項３に記載の携帯端末。
【請求項５】
前記第１筐体に相対的に摺動することによって、前記シート部材を露出する開状態と、前記シート部材の少なくとも一部を覆う閉状態とに切り替わるように前記第１筐体に摺動自在に接続された第３筐体を更に備え、
前記第３筐体は、前記開状態にあるときに前記シート部材の前記スライド方向に交差せず前記閉状態にあるときに前記シート部材の前記スライド方向に交差するように突出する第２の係止部を備える、
ことを特徴とする請求項１に記載の携帯端末。
【請求項６】
前記シート部材は、第２の突起を有し、
前記第１筐体には、前記第２の突起を受け入れることにより前記シート部材を前記スライド方向に案内する案内穴が形成されている、
ことを特徴とする請求項１乃至５のいずれか１項に記載の携帯端末。
【請求項７】
前記第１筐体は、前記シート部材が取り付けられる面とその他の面とに挿通され前記シート部材と前記第１筐体との間に侵入した異物を排出する排出孔を有する、
ことを特徴とする請求項１乃至６のいずれか１項に記載の携帯端末。
【請求項８】
前記第１筐体は、押圧することにより制御部に情報を送出するキー部を表面に有し、
前記シート部材は、前記第１筐体への取付状態における前記キー部に対向する位置にキー入力部を有する、
ことを特徴とする請求項１乃至７のいずれか１項に記載の携帯端末。
【発明の詳細な説明】
【技術分野】
【０００１】
本発明は、シート部材を備える携帯端末に関する。
【背景技術】
【０００２】
ユーザにとって、携帯端末を評価する基準として、その携帯端末の機能、価格、デザイン及びユーザビリティ等が重視されている。その基準のうち、特にデザインについては、それぞれのユーザの嗜好が多様化しておりその好みに差がある。そのようなユーザの嗜好に応えるべく、多様なデザインを有する携帯電話が増えている。また、購入時においてはユーザの嗜好に沿うデザインであったとしても、長年使用することで、塗装が剥げたり、傷が入ったり、そのデザインに飽きを感じたりすることによりユーザに不満を感じさせることが多々ある。このように、ユーザの携帯端末への評価を高めるためには、高い機能を備えることはもちろんのこと、それぞれのユーザの好みに合うデザインを豊富に備えること、そのデザインの変更、延いては部品の変更が容易に行えることが重要である。
【０００３】
このように、長期の使用においても、ユーザの高い評価を維持するために、コストが安く及び多様なデザインを有する携帯電話として、例えば、特許文献１には、筐体の面上にあるキーを覆い取替え可能なキーシートを備えた携帯電話が開示されている。
【先行技術文献】
【特許文献】
【０００４】
【特許文献１】特開２００７−２５１８６９号公報
【発明の概要】
【発明が解決しようとする課題】
【０００５】
しかしながら、特許文献１に開示された携帯電話は、キーシートをねじで固定及び固定解除することにより、キーシートが着脱される構成であるために、そのねじに合うドライバーがなければキーシートを着脱できなかった。つまり、ユーザが容易にキーシートを交換することができなかった。
【０００６】
本発明はかかる問題点に鑑みてなされたものであり、筐体と筐体に取り付けられるシート部材との着脱を容易にすることを目的とする。
【課題を解決するための手段】
【０００７】
本発明の第１の観点に係る携帯端末は、
第１の穴を有する第１筐体と、
可撓性材料から形成され前記第１筐体の前記第１の穴に係脱自在とする第１の突起を有し、前記第１筐体の面に着脱可能であるシート部材と、を備え、
前記第１の突起は、前記シート部材に略垂直な方向に突出する第１の縦突起と、前記シート部材に並行な方向に前記第１の縦突起の先端から突出する横突起と、前記シート部材に略垂直な方向に前記横突起の先端から突出し前記第１の縦突起の長さよりも短い第２の縦突起と、から構成されるクの字状に形成され、
前記第１の穴は、前記第１筐体に略垂直な方向に延出し前記第１の突起の幅よりも幅広に形成された第１の縦穴と、前記第１筐体に並行な方向に前記第１の縦穴の最奥から延出する横穴と、前記第１筐体に略垂直な方向に前記横穴の最奥から延出し前記第１の縦穴の長さよりも短い第２の縦穴と、から構成される前記クの字状に形成され、
前記第１の突起は、
前記第１の縦穴に挿入され、
前記シート部材が前記横穴の延出する方向に押圧されることで、前記第１の縦穴の縁面に前記第２の縦突起が当接して前記クの字状の開かれた部分が更に開くように弾性変形して前記シート部材のスライド方向の移動を許容し、
前記シート部材の前記スライド方向の移動により前記第２の縦突起が前記第２の縦穴に至ると、復元力により形状が戻り前記第２の縦穴に収容されるとともに、前記第１の穴の縁面に当接して弾性変形して前記第１の穴に係合する、
ことを特徴とする。
【０００９】
また、前記第１筐体の端部に回転ヒンジを介して回動自在に端部を接続された第２筐体を更に備え、
前記第２筐体は、前記第１筐体の面と前記第２筐体の面とが対向する折り畳み状態にあるときに前記シート部材のスライド方向に交差するように突出する第１の係止部を備えるようにしてもよい。
【００１０】
例えば、前記シート部材は、前記折り畳み状態にあるときに前記第１の係止部を収容する第２の穴を有する。
【００１１】
更に、前記第１筐体は、前記シート部材が取り付けられた状態において前記第２の穴に対向する位置に第３の穴を有し、
前記第１の係止部は、前記折り畳み状態において、前記第２の穴を挿通して前記第３の穴に収容されるようにしてもよい。
【００１２】
また、前記第１筐体に相対的に摺動することによって、前記シート部材を露出する開状態と、前記シート部材の少なくとも一部を覆う閉状態とに切り替わるように前記第１筐体に摺動自在に接続された第３筐体を更に備え、
前記第３筐体は、前記開状態にあるときに前記シート部材のスライド方向に交差せず前記閉状態にあるときに前記シート部材のスライド方向に交差するように突出する第２の係止部を備えるようにしてもよい。
【００１３】
更に、前記シート部材は、第２の突起を有し、
前記第１筐体には、前記第２の突起を受け入れることにより前記シート部材をスライド方向に案内する案内穴が形成されているとより好ましい。
【００１４】
更に、前記第１筐体は、前記シート部材が取り付けられる面とその他の面とに挿通され前記シート部材と前記第１筐体との間に侵入した異物を排出する排出孔を有するとより好ましい。
【００１５】
また、前記第１筐体は、押圧することにより制御部に情報を送出するキー部を表面に有し、
前記シート部材は、前記第１筐体への取付状態における前記キー部に対向する位置にキー入力部を有するようにしてもよい。
【発明の効果】
【００１７】
本発明によれば、筐体と筐体に取り付けられるシート部材との着脱を容易にすることができる。
【図面の簡単な説明】
【００１８】
【図１】実施形態１に係る携帯電話の開状態を示す斜視図である。
【図２】実施形態１に係る携帯電話の閉状態を示す斜視図である。
【図３】（ａ）キーシートを示す斜視図である。（ｂ）キーシートが取り外された状態の携帯電話を示す斜視図である。
【図４】下部筐体に取り付けられたキーシートを示す正面図である。
【図５】（ａ）係合突起及び係合穴を示すもので、図４におけるＡ−Ａ断面矢視図である。（ｂ）摺動突起及び案内穴を示すもので、図４におけるＢ−Ｂ断面矢視図である。
【図６】下部筐体及び下部筐体に取り付けられたキーシートを示す斜視図である。
【図７】（ａ）携帯電話の開状態において、係止突起及び係止孔の配置を示す斜視図である。（ｂ）携帯電話の閉状態において、係止突起が係止孔を介してキーシートを係止している状態を示す断面図である。
【図８】（ａ）下部筐体に形成された排出孔の位置を示す斜視図である。（ｂ）（ａ）に示さされたＣ部を拡大して示すもので、シート部材が下部筐体に取り付けられた状態における排出孔を示す斜視図である。（ｃ）（ａ）に示されたＣ部を拡大して示すもので、シート部材が下部筐体から取り外された状態における排出孔を示す斜視図である。
【図９】（ａ）携帯電話の開状態において、第１の変形例に係る係止突起の配置を示す斜視図である。（ｂ）携帯電話の閉状態において、第１の変形例に係る係止突起がキーシートの側面に当接してキーシートを係止している状態を示す断面図である。
【図１０】第２の変形例に係る係合部を示すもので、図４におけるＡ−Ａ断面矢視図である。
【図１１】（ａ）実施形態２に係る携帯電話の開状態を示す正面図である。（ｂ）（ａ）に示された携帯電話の右側面を示す側面図である。（ｃ）（ａ）に示された携帯電話の下面を示す下面図である。
【図１２】（ａ）実施形態２に係る携帯電話の閉状態を示す正面図である。（ｂ）（ａ）に示された携帯電話の右側面を示す側面図である。（ｃ）（ａ）に示された携帯電話の下面を示す下面図である。
【発明を実施するための形態】
【００１９】
以下、本発明に係る携帯電話の実施形態について添付の図面を参照して具体的に説明する。
【００２０】
＜実施形態１＞
本実施形態に係る携帯電話（携帯端末）１０は、図１乃至図３に示すように、下部筐体（第１筐体）２０、下部筐体２０に回転ヒンジ４８を介して接続される上部筐体（第２筐体）３０、及び下部筐体２０の表面に着脱可能に取り付けられるキーシート（シート部材）４０から主に構成される折り畳み式の携帯電話である。
【００２１】
下部筐体２０は、押圧されることによって制御部２５に情報を送出する複数のキー（キー部）２２を備える。また、詳細については後述するが、下部筐体２０には、キーシート４０に形成された係合突起（第１の突起）４６に係合する係合穴（第１の穴）２６、及びキーシート４０に形成された摺動突起（第２の突起）４４を摺動方向にガイドする案内穴２４が形成されている。
【００２２】
上部筐体３０は、図２に示す折り畳み状態において下部筐体２０上のキーシート４０に対向する位置に、ＬＣＤ（Liquid Crystal Display）から成る表示部３２（図３（ｂ）参照）を備える。また、上部筐体３０の端部と、下部筐体２０の端部とによって回転ヒンジ４８が構成されている。この回転ヒンジ４８によって、上部筐体３０が下部筐体２０に相対的に回動し、下部筐体２０に当接及び離間することで、携帯電話１０は開状態及び閉状態（折り畳み状態）となる。
【００２３】
キーシート４０は、可撓性材料から形成され、複数のキー入力部４２を有する。キー入力部４２は、キーシート４０が下部筐体２０に取り付けられた状態（以下、キーシート取付状態と記載）において、下部筐体２０のキー２２に対向する位置に配置されている。ユーザは、キー入力部４２を介して、キー２２を押圧して、携帯電話１０を操作する。また、キーシート４０は、図３に示すように、下部筐体２０に着脱可能である。詳細については後述するが、キーシート４０には、下部筐体２０に対して着脱可能とする構成部位として、下部筐体２０に形成された係合穴２６に係合する係合突起４６、及び下部筐体２０に形成された案内穴２４内を摺動する摺動突起４４が形成されている。
【００２４】
次に、下部筐体２０とキーシート４０との係合関係について説明する。図４及び図５（ａ）に示すように、下部筐体２０とキーシート４０とが係合する部位は、下部筐体２０に形成された係合穴２６、及びキーシート４０に形成されキーシート取付状態において係合穴２６に収容されて係合する係合突起４６である。図４に示すキーシート取付状態において、係合穴２６及び係合突起４６は、下部筐体２０のキーから回転ヒンジ４８側に離間する位置に配置されている。
【００２５】
係合穴２６は、図４のＡ−Ａ断面を示す図５（ａ）に示すように、クの字状に形成されている。より詳細に説明すると、係合穴２６は、キーシート取付状態において、キーシート４０に当接する下部筐体２０の面から垂直に延出する第１の縦穴２６０と、この縦穴２６０の最奥から回転ヒンジ４８側に向けて延出する横穴２６２と、横穴２６２の最奥から下部筐体２０のキーシート４０に当接する面に向けて延出する第２の縦穴２６４と、から形成される。なお、第１の縦穴２６０は、後述する係合突起４６の挿入を許容するように下部筐体２０の長手方向に幅広に形成されている。また、第２の縦穴２６４の長さは、第１の縦穴２６０の長さよりも短い。
【００２６】
このように形成された係合穴２６の第１の縦穴２６０と横穴２６２と第２の縦穴２６４とに囲まれる部分に、後述する係合突起４６と係合する凸部２６６が形成されることとなる。なお、第１の縦穴２６０と横穴２６２とに面する凸部２６６の角は、係合穴２６に挿入される後述する係合突起４６が横穴２６２側に弾性変形しやすいように大きく面取りされている。一方、横穴２６２と第２の縦穴２６４とに面する凸部２６６の角は、係合穴２６の第２の縦穴２６４まで挿入された後述する係合突起４６への係合を維持するために滑らかな角度に形成されていない。
【００２７】
係合突起４６は、可撓性材料から形成され、係合穴２６の形状に類似したクの字状の形状である。より詳細に説明すると、係合突起４６は、下部筐体２０に当接するキーシート４０の面から垂直に突出した第１の縦突起４６０と、この第１の縦突起４６０の先端から回転ヒンジ４８側に向けて突出する横突起４６２と、横突起４６２の先端から下部筐体２０のキーシート４０に当接する面に向けて突出する第２の縦突起４６４と、から形成される。第２の縦突起４６４は、第１の縦突起４６０よりも長さが短く形成され、キーシート取付状態において、第２の縦穴２６４に収容される。係合突起４６は、キーシート取付状態において、キーシート４０がはずれる方向に荷重が加えられたときに、凸部２６６に第２の縦突起４６４が当接することにより係合穴２６と係合する。このように、係合突起４６と係合穴２６とによって、キーシート４０と下部筐体２０との取付状態を、加えられる荷重が所定の大きさを超えるまでは維持することができる。
【００２８】
なお、キーシート４０を下部筐体２０に取り付ける際に凸部２６６に当接する係合突起４６の角は大きく面取りされている。このように面取りされていることで、凸部２６６に係合突起４６が当接することによる発生する押圧力が横穴２６２側に向けられ弾性変形しやすくなる。一方、キーシート４０を下部筐体２０から取り外す際に凸部２６６に当接する係合突起４６の角は大きく面取りされていない。このように係合突起４６の角が形成されていることにより、キーシート４０を下部筐体２０へ取り付ける時には係合突起４６と係合穴２６とを容易に係合させることができ、また、キーシート取付状態においては、キーシート４０が下部筐体２０から外れにくくすることができる。係合突起４６と係合穴２６との係合及び係合の解除、つまり、キーシート４０と下部筐体２０との着脱は、キーシート４０と下部筐体２０とを相対的に摺動させることによってなされる。
【００２９】
次に、下部筐体２０に対してキーシート４０が相対的に摺動する際に、キーシート４０をガイドする構造について説明する。図４及び図５（ｂ）に示すように、キーシート４０の摺動をガイドする構成は、下部筐体２０に形成された案内穴２４と、キーシート４０に形成された摺動突起４４とから成る。
【００３０】
まず、図４を参照して案内穴２４及び摺動突起４４の配置について説明する。案内穴２４及び摺動突起４４は、キーシート取付状態において、下部筐体２０及びキーシート４０の短手側の両端部に、長手方向に所定の間隔でそれぞれ５箇所配置され、下部筐体２０の長手側の回転ヒンジ４８と異なる側の端部に、短手方向に所定の間隔で３箇所配置されている。
【００３１】
案内穴２４は、図４のＢ−Ｂ断面を示す図５（ｂ）に示すように、Ｌ字状に形成されている。より詳細に説明すると、案内穴２４は、キーシート４０に当接する下部筐体２０の面から垂直に延出する第１の縦穴２４０と、この第１の縦穴２４０の最奥から回転ヒンジ４８側に向けて延出する横穴２４２と、から形成される。なお、第１の縦穴２４０は、後述する摺動突起４４の挿入を許容するように下部筐体２０の長手方向に幅広に形成されている。
【００３２】
摺動突起４４は、Ｌ字状の形状を有し、キーシート４０の下部筐体２０に当接する面から案内穴２４の深さと略等しい高さで突出している。より詳細に説明すると、摺動突起４４は、キーシート取付状態において、下部筐体２０に当接するキーシート４０の面から垂直に突出した第１の縦突起４４０と、この第１の縦突起４４０の先端から回転ヒンジ４８側に向けて突出する横突起４４２と、から形成される。
【００３３】
キーシート４０と下部筐体２０との着脱は、係合穴２６と係合突起４６とが係合する位置、及び係合穴２６と係合突起４６との係合が解除される位置までキーシート４０が摺動することによってなされる。
【００３４】
次に、図５及び図６を参照して、摺動突起４４及び係合突起４６を有するキーシート４０を、案内穴２４及び係合穴２６を有する下部筐体２０から着脱する際の動作について説明する。なお、図６における矢印の矢先方向を＋方向とし、その逆を−方向とする。
【００３５】
まず、摺動突起４４が案内穴２４の第１の縦穴２４０に対向する位置、且つ、係合突起４６が係合穴２６の第１の縦穴２６０に対向する位置にキーシート４０を位置決めする。次に、摺動突起４４を案内穴２４内に、係合突起４６を係合穴２６にそれぞれ挿入するように、キーシート４０を下部筐体２０に当接する方向（図６における＋Ｚ方向）に移動させる。
【００３６】
次に、キーシート４０を回転ヒンジ４８に向かう方向（図６における＋Ｙ方向）に移動させる。このとき、摺動突起４４がＹ方向に延出する案内穴２４にガイドされるため、キーシート４０のＸ方向及びＺ方向への位置ずれが抑制される。また、係合突起４６は、係合突起４６の第２の縦突起４６４が凸部２６６に当接することで凸部２６６から押圧力を受け、クの字の開口部が更に開くように弾性変形する。このように係合突起４６が弾性変形することで、第２の縦突起４６４が凸部２６６を乗り上げ、キーシート４０が＋Ｙ方向に更にスライドすることを許容する。キーシート４０を＋Ｙ方向に更にスライドさせると、第２の縦突起４６４が凸部２６６を越えて第２の縦穴２６４に至る。このとき、係合突起４６は、凸部２６６に当接することにより受けていた第２の縦突起４６４への押圧力が解除され、元の形状に戻る。このようにして、係合突起４６と係合穴２６とが係合し、キーシート４０が下部筐体２０に取り付けられる。
【００３７】
このように、キーシート４０が下部筐体２０に取り付けられた状態において、取付面の法線方向（図６における−Ｚ方向）にキーシート４０に荷重が加えられた場合であっても、キーシート４０に複数設けられた摺動突起４４が案内穴２４の内縁に当接することにより、キーシート４０が下部筐体２０から意図せずはずれることを防ぐことができる。
【００３８】
キーシート４０を下部筐体２０から取り外す場合には、キーシート４０を取り付ける際に、第２の縦突起４６４が凸部２６６を乗り越えるのに要する＋Ｙ方向への力よりも大きな所定の力で−Ｙ方向に力を加える。このようにすると、係合突起４６の第２の縦突起４６４が係合穴２６の凸部２６６を乗り越えるように弾性変形することで、係合穴２６と係合突起４６との係合が解除される。なお、キーシート４０の取り外しに要する残りの手順は、取付手順の逆の手順である。
【００３９】
上記のように、キーシート４０と下部筐体２０とは、ねじを用いて着脱されるものではなく、係合突起４６の弾性変形による係合穴２６との係合及び係合の解除により着脱されるものである。このため、別個に着脱用の器具を要さず、ユーザは、下部筐体２０からキーシート４０を容易に着脱できる。
【００４０】
なお、上記において、係合突起４６と係合穴２６とは、第２の縦突起４６４が凸部２６６に対して弾性変形することにより、係合及び係合解除されるとして説明したが、凸部２６６が第２の縦突起４６４に対して弾性変形することにより、係合及び係合解除される構成でもよい。
【００４１】
なお、上記において、キーシート４０が下部筐体２０に対してＹ方向にスライドすることで着脱する構造を説明したが、この構造に限定せず他の方向にスライドする構造でもよく、例えば、Ｘ方向にスライドして着脱されるような構造でもよい。この場合、係合突起４６及び係合穴２６並びに摺動突起４４及び案内穴２４のそれぞれは、キーシート４０及び下部筐体２０の短手方向に延出するように形成される。
【００４２】
次に、図７を参照して、キーシート４０が携帯電話１０から不意にはずれることを防止する係止構造について説明する。
【００４３】
携帯電話１０が備える係止構造は、上部筐体３０に形成された係止突起（第１の係止部）３１と、キーシート４０に形成された係止孔（第２の穴）４１と、下部筐体２０に形成され係止突起３１を収容する受入穴（第３の穴）２１と、から構成される。
【００４４】
係止突起３１は、上部筐体３０の短手方向に延出し、携帯電話１０のキーシート取付状態且つ折り畳み状態においてキーシート４０に対向する上部筐体３０の面上から突出して形成され、上部筐体３０の回転ヒンジ４８から離間する側に配置されている。
【００４５】
係止孔４１は、キーシート４０の短手方向に延出し、携帯電話１０のキーシート取付状態且つ折り畳み状態において係止突起３１に対向する部位に係止突起３１よりも大きな幅及び長さで貫通して形成されている。係止孔４１は、携帯電話１０の折り畳み状態において、キーシート４０に対してスライド方向に荷重が加えられたときに、係止孔４１の内縁に係止突起３１が当接することで、キーシート４０がスライドすることを防止する。
【００４６】
受入穴２１は、下部筐体２０の短手方向に延出し、携帯電話１０のキーシート取付状態且つ折り畳み状態において係止突起３１に対向する部位に、係止孔４１と略同一の幅及び長さで形成されている。受入穴２１は、携帯電話１０の折り畳み状態においてキーシート４０を貫通する係止突起３１を受け入れる。このように受入穴２１が形成されていることにより、係止孔４１の内縁の厚さ分だけ係止突起３１と接触させることができ、係止突起３１と係止孔４１との係止状態をより安定したものとすることができる。
【００４７】
なお、係止突起３１は、上部筐体３０において回転ヒンジ４８から離間する側に配置されているとして説明したが、その配置を制限するものではない。つまり、折り畳み状態においてキーシート４０に対向する上部筐体３０の面上に係合突起が形成され、キーシート４０上に、折り畳み状態において係合突起に対向する位置に係止孔が形成されていれば、どの場所に形成されていてもよい。
【００４８】
なお、このように係止突起３１と係止孔４１とから成る係止構造は、係合突起４６と係合穴２６との係合により、下部筐体２０に対して相対的なキーシート４０のスライドが十分に制限されるのであれば必ずしも必要な構成ではない。しかし、ユーザは、携帯電話１０を操作している場合を除き、携帯電話１０を閉じた状態にしていることが多い。また、携帯電話１０を操作しない状態が長いのが一般的である。また、キーシート４０の交換作業を行う以外でキーシート４０をはずす必要性はない。このため、上記の係止構造を採用することは、携帯電話１０が閉じた状態であるときに、キーシート４０が下部筐体２０からはずれることを安定的に防ぐことができるため非常に有益である。例えば、何かにキーシート４０が当たったり、不意に携帯電話１０を落としたりすることによってキーシート４０に過大な衝撃力が加わったとしても、携帯電話１０が閉じた状態であれば、キーシート４０がはずれることを防ぐことができる。
【００４９】
次に、キーシート４０と下部筐体２０との隙間に侵入する液体等の異物を排出する構造について図８を参照して説明する。
【００５０】
下部筐体２０のキーシート４０に当接する面から垂直下方に排出孔２３が所定の深さで形成されており、図８における右側面に排出孔２３の最奥に通じる開孔２３０、下面に排出孔２３の最奥に通じる開孔２３２が形成されている。このように排出孔２３及び開孔２３０，２３２が下部筐体２０に形成されていることで、キーシート４０と下部筐体２０との隙間に侵入する液体を自然に排出することができる。また、例えば、キーシート取付状態において、開孔２３０，２３２にポンプ等によって負圧をかけることで、強制的に液体等の異物を排出するようにしてもよい。
【００５１】
（第１の変形例）
次に実施形態１に係る携帯電話１０のキーシート４０がスライドすることを防ぐ係止構造の第１の変形例について図９を参照して説明する。
【００５２】
第１の変形例に係る携帯電話（携帯端末）１２は、実施形態１に係る携帯電話１０と同様に、下部筐体２０、下部筐体２０に回転ヒンジ４８を介して接続される上部筐体３０、及び下部筐体２０の表面に着脱可能に取り付けられるキーシート４０から主に構成される折り畳み式の携帯電話である。
【００５３】
上部筐体３０は、回転ヒンジ４８から離間する側の端部に、上部筐体３０の短手方向に延出し下部筐体２０側に突出する係止突起（第１の係止部）３３を備える。係止突起３３は、キーシート取付状態における回転ヒンジ４８の回転中心からキーシート４０の下面までの長さに対し、回転ヒンジ４８の回転中心から回転ヒンジ４８に近い側の面までの長さが長くなるように配置されている。
【００５４】
上記のような係止突起３３を備える携帯電話１２は、折り畳み状態（閉状態）において、キーシート４０にスライド方向の荷重が加えられたとしても、キーシート４０が係止突起３３に当接することにより、キーシート４０のスライドする動作が妨がれる。このため、携帯電話１２の折り畳み状態において、キーシート４０が下部筐体２０から不意にはずれることを防ぐことができる。
【００５５】
（第２の変形例）
実施形態１に係る携帯電話１０に設けられたキーシート４０と下部筐体２０とを係合する係合構造は、係合突起４６と係合穴２６とから構成されるものとして説明したが、その他の構成であっても良い。例えば、磁力によって係合する構成を有するものであってもよい。
【００５６】
磁力によって係合する構成を有する第２の変形例に係る係合部について、図４のＡ−Ａ断面を示す図１０を参照して説明する。
【００５７】
下部筐体２０には、キーシート４０に形成された後述するマグネット（第２のマグネット、係合部）４９を引き寄せるマグネット（第１のマグネット、係合部）２９が埋設されている。また、図５（ｂ）に示した実施形態１のものと同様に、キーシート４０に形成された摺動突起４４を摺動方向にガイドする案内穴２４が形成されている。
【００５８】
キーシート４０には、下部筐体２０に対して着脱可能とする構成部位として、下部筐体２０に形成されたマグネット２９に引き寄せられるマグネット４９が、キーシート取付状態においてマグネット２９に対向する位置に取り付けられている。また、図５（ｂ）に示した実施形態１のものと同様に、下部筐体２０に形成された案内穴２４内を摺動する摺動突起４４が形成されている。
【００５９】
キーシート４０と下部筐体２０との着脱は、マグネット２９とマグネット４９とが当接する位置、及びマグネット２９とマグネット４９との離間する位置までキーシート４０が摺動することによってなされる。
【００６０】
マグネット２９とマグネット４９との引き合う力は、磁力線の向きの違いによって、マグネット２９及びマグネット４９の当接面に垂直な方向よりも平行な方向の方が弱い。このため、キーシート４０を下部筐体２０に相対的にスライドさせずに垂直に取り外すタイプのときには、余計に力を必要とする。対して、本実施形態において、キーシート４０を交換する場合に取り外すときには、キーシート４０をマグネット２９及びマグネット４９の当接面に平行な方向にスライドさせるため、容易に取り外すことができる。更に、携帯電話１０が閉状態のときには、係止突起３１及び係止孔４１の係止機能又は係止突起３３の係止機能によって、不意にはずれることを防ぐことができる。
【００６１】
＜実施形態２＞
実施形態１に係る携帯電話１０は、下部筐体２０と上部筐体３０とが回転ヒンジ４８を中心に相対的に回動することによって、開状態と閉状態とに切り換えることができる折り畳み式のものであった。折り畳み式のものに限らず、スライド式その他のタイプのものであってもよい。このスライド式の携帯電話（携帯端末）１４の実施形態について、図１１及び図１２を参照して説明する。
【００６２】
実施形態２に係るスライド式の携帯電話１４は、下部筐体（第１筐体）５０、下部筐体５０にスライド可能に接続される上部筐体（第３筐体）６０、及び下部筐体５０の表面に着脱可能に取り付けられるキーシート（シート部材）７０から主に構成される。
【００６３】
下部筐体５０は、押圧されることによって制御部５５に情報を送出する複数のキー（不図示）を備える。また、下部筐体５０は、上部筐体６０との接続部位に、上部筐体６０との間で相対的に摺動可能とする摺動部５８を備える。また、詳細については後述するが、下部筐体５０には、キーシート７０に形成された係合突起７６に係合する係合穴５６、及びキーシート７０に形成された摺動突起７４を摺動方向にガイドする案内穴５４が形成されている。
【００６４】
上部筐体６０は、表面に、ＬＣＤ（Liquid Crystal Display）から成る表示部６２を備える。携帯電話１４は、下部筐体５０に設けられた摺動部５８を介して下部筐体５０と上部筐体６０とが相対的に摺動し、これらの重なる部位が狭くなったり、広くなったりすることで、開状態及び閉状態となる。また、上部筐体６０は、上部筐体６０の短手方向の両縁から、後述する下部筐体５０側に向かってキーシート７０の短手方向側方に突出する突出部（第２の係止部）６３を備える。この突出部６３は、詳細については後述するが、下部筐体５０に取り付けられた状態のキーシート７０がスライドすることを防ぐものである。
【００６５】
キーシート７０は、係合突起７６及び摺動突起７４を備え、下部筐体５０に着脱可能である。キーシート７０は、係合突起７６及び摺動突起７４以外は、実施形態１に係るキーシート４０と略同一の構成から成る。
【００６６】
配置について、係合突起７６及び係合穴５６は、キーシート７０及び下部筐体５０の短手方向中央、且つ、長手方向両端に２箇所配置されている。また、摺動突起７４及び案内穴５４は、キーシート７０及び下部筐体５０の短手方向両端に、且つ、長手方向に所定の間隔をおいてに３箇所ずつ配置されている。
【００６７】
また、構造について、係合突起７６及び係合穴５６並びに摺動突起７４及び案内穴５４のそれぞれは、実施形態１に係る携帯電話１０に設けられた係合突起４６及び係合穴２６並びに摺動突起４４及び案内穴２４のそれぞれと、キーシート４０及び下部筐体２０に対して形成される向き以外、同一の構造を有する。なお、係合突起７６及び係合穴５６並びに摺動突起７４及び案内穴５４のそれぞれが延出する向きは、実施形態１に係る携帯電話１０に設けられた係合突起４６及び係合穴２６並びに摺動突起４４及び案内穴２４をキーシート４０の表面から見て反時計回りに９０度回転させた向き、つまり、図１１における＋Ｘ方向に延出する向きである。
【００６８】
次に、図１１及び図１２を参照して、摺動突起７４及び係合突起７６を有するキーシート７０を、案内穴５４及び係合穴５６を有する下部筐体５０から着脱する際の動作について説明する。なお、図１１及び図１２における矢印の矢先方向を＋方向とし、その逆を−方向とする。また、紙面の表面から裏面への方向を、バツをマルで囲んだマークで示す。
【００６９】
まず、摺動突起７４が案内穴５４に対向する位置、且つ、係合突起７６が係合穴５６に対向する位置にキーシート７０を位置決めする。次に、摺動突起７４を案内穴５４内に、係合突起７６を係合穴５６にそれぞれ挿入するように、キーシート７０を下部筐体５０に当接する方向（図１１における＋Ｚ方向）に移動させる。
【００７０】
次に、キーシート７０を短手方向（図１１における＋Ｘ方向）に移動させる。このとき、摺動突起７４がＸ方向に延出する案内穴５４にガイドされるため、キーシート７０のＺ方向及びＹ方向への位置ずれが抑制される。所定の位置までキーシート７０を短手方向に移動させると、係合突起７６と係合穴５６とが、実施形態１に係る係合突起４６と係合穴２６とが係合するのと同様に係合し、キーシート７０が下部筐体５０に取り付けられる。
【００７１】
このように、キーシート７０が下部筐体５０に取り付けられた状態において、取付面の法線方向（図１１における−Ｚ方向）にキーシート７０に荷重が加えられた場合であっても、キーシート７０に複数設けられた摺動突起７４が案内穴５４の内縁に当接することにより、キーシート７０が下部筐体５０から意図せずはずれることを防ぐことができる。
【００７２】
キーシート７０を下部筐体５０から取り外す場合には、キーシート７０を取り付ける際
の＋Ｘ方向へのスライドに要する力よりも大きな所定の力で−Ｘ方向にスライドする。このようにすると、係合突起７６と係合穴５６との係合が解除される。なお、キーシート７０の取り外しに要する残りの手順は、取付手順の逆の手順である。
【００７３】
次に、図１２を参照して、キーシート７０が携帯電話５０から不意にはずれることを防止する係止構造について説明する。上部筐体６０を下部筐体５０側に向けて（図１２における−Ｙ方向に）スライドして閉状態とすると、突出部６３が、キーシート７０のスライド側の延長上に重なる位置に位置することとなる。キーシート７０に−Ｘ方向にスライドする荷重が加えられることを突出部６３が防ぎ、キーシート７０が不意にはずれることを防止できる。
【００７４】
なお、突出部６３は、上部筐体６０の短手方向の両縁から形成されるとして説明したが、例えば、キーシート取付状態にあるキーシート７０の下部筐体５０から取り外される方向の延長上である片縁のみに形成されたものであっても良い。つまり、突出部６３は、図１１における上部筐体６０の−Ｘ側の縁のみに形成されるものであってもよい。このような構成であっても、キーシート７０に、下部筐体５０からはずれるスライド方向（図１１における−Ｘ方向）に荷重が加えられたときに、キーシート７０が突出部６３に当接することにより、不意にはずれることを防止できる。
【００７５】
実施形態１に係る携帯電話１０において、クの字状に形成された係合突起４６が、クの字状に形成された係合穴２６に係合する構造を採用しているので、キーシート４０と下部筐体２０との取付強度を高めることができる。更に、スライド方向に所定の力以上で下部筐体２０からキーシート４０を引いて係合突起４６を弾性変形させることで、容易にキーシート４０を取り外すことができる。
【００７６】
また、クの字状に形成された係合突起４６と、クの字状に形成された係合穴２６とが係合する構造に限らず、例えばマグネットによって係合するようにしてもよい。このようにすれば、着脱の容易性を備えた上で、マグネットを収容する部位の形状を比較的シンプルにすることができ、下部筐体及びキーシートの設計及び製作の設計変更を容易に行うことができる。
【００７７】
上記の実施形態にかかる携帯電話は、閉状態であるときにキーシートのスライド方向に交差するように突出する係止部を備えているので、不意にキーシートがスライドして下部筐体からはずれることを防ぐことができる。
【００７８】
具体的には、実施形態１に係る携帯電話１０のように、携帯電話１０が折り畳み状態であるときに、上部筐体３０に形成された係止突起３１がキーシート４０に形成された係止孔４１に収容されるようにする。このようにすることで、キーシート４０がスライドすることを防ぎ、下部筐体２０からはずれることを防ぐことができる。
【００７９】
また、実施形態１に係る携帯電話１０において、下部筐体２０に、係止突起３１を受け入れる受入穴２１が形成されているものとして説明したが、係止孔４１と係止突起３１とが係止することでキーシート４０のスライドを防止できればよく、必ずしも受入穴２１を必要としない。
【００８０】
また、案内穴２４及び摺動突起４４は必ずしも必要な本発明に係る構成要素ではなく、係止突起３１及び係止孔４１に案内穴２４及び摺動突起４４の機能も備えさせてもよい。この場合、係止突起３１及び係止孔４１を複数備えるようにすることで、キーシート４０に垂直な方向の加重によってキーシート４０がはずれることを防ぐことができる。
【００８１】
また、係止孔４１は、係止突起３１と係止することでキーシート４０のスライドを防止できればよく、キーシート４０に貫通して形成されているものとして説明したが、貫通せずに窪んでいるものでもよい。
【００８２】
また、摺動突起及び案内穴の組数、係合突起及び係合穴の組数、マグネットの組数を具体的に説明したが、その機能を発揮できればよく、この数は任意である。
【００８３】
また、上記の実施形態において、係合突起と係合穴とによる係合、及びマグネットの引き合う力を利用した係合を例に出して説明したが、キーシートと下部筐体とが着脱可能に係合できればよく、これらの構成に限定しない。例えば、面ファスナー等を用いるようにしてもよい。
【００８４】
また、上記実施形態において説明したように、携帯電話等のキーシートに適用することで、ユーザはキーシートのデザインを容易に変更することができるようになる。また、携帯電話のキーシートを一例としてあげたが、本発明は携帯電話に限らず、ＰＤＡ、ノートパソコン、ウェアラブルパソコン、電卓、電子辞書その他の携帯端末に適用することができる。
【符号の説明】
【００８５】
１０，１２，１４…携帯電話（携帯端末）、２０，５０…下部筐体（第１筐体）、２１…受入穴（第３の穴）、２２…キー（キー部）、２３…排出孔、２４…案内穴、２５，５５…制御部、２６…係合穴（第１の穴）、２６０…第１の縦穴、２６２…横穴、２６４…第２の縦穴、２９…マグネット（第１のマグネット、係合部）、３０…上部筐体（第２筐体）、３１…係止突起（第１の係止部）、３３…係止突起（第１の係止部）、４０，７０…キーシート（シート部材）、４１…係止孔（第２の穴）、４２…キー入力部、４４…摺動突起（第２の突起）、４６…係合突起（第１の突起）、４６０…第１の縦突起、４６２…横突起、４６４…第２の縦突起、４８…回転ヒンジ、４９…マグネット（第２のマグネット、係合部）、６０…上部筐体（第３筐体）、６３…突出部（第２の係止部）
【図１】
0005424339.tif 000002
【図２】
0005424339.tif 000003
【図３】
0005424339.tif 000004
【図４】
0005424339.tif 000005
【図５】
0005424339.tif 000006
【図６】
0005424339.tif 000007
【図７】
0005424339.tif 000008
【図８】
0005424339.tif 000009
【図９】
0005424339.tif 000010
【図１０】
0005424339.tif 000011
【図１１】
0005424339.tif 000012
【図１２】
0005424339.tif 000013